(57)【要約】【課題】  安価で容易に取扱うことができ、かつドア等を傷付けることなくドアを開扉状態に保持する。【解決手段】  ドア枠体６にドアストッパ装置１１を設け、このドアストッパ装置１１は、回動部材１３をドア枠体６の化粧枠６Ａ側となる左側に回動し、この回動部材１３をドア枠体６とドア７との間に突出させることにより、ストッパ部材１４をドア７に当接させて開扉状態に保持する構成としている。従って、ドアストッパ装置１１は、ドア枠体６に取付けているから紛失する虞がなく、またドア７を閉扉させたり開扉状態に保持したりする切換をワンタッチで行なうことができる。しかも、ストッパ部材１４を軟質な材料から形成することにより、ドア７が当接したときの騒音、ドア７やドア枠体６の塗装の剥離、損傷等を防止することができる。【選択図】        図２
2005163494.tif 000002
【特許請求の範囲】
【請求項１】
建物のドア枠体の開口内に開閉可能に設けられたドアを開扉状態に保持するために用いるドアストッパ装置において、
前記ドアの左，右方向一側に位置して前記ドア枠体に固定状態で取付けられる取付部材と、
該取付部材に回動可能に取付けられ、前記ドア枠体の開口と反対側に回動したときに前記ドアの閉扉を許し、前記ドア枠体の開口側に回動したときに前記ドア枠体とドアとの間に突出する回動部材と、
該回動部材に設けられ、該回動部材を前記ドア枠体の開口側に回動したときに前記ドアを開扉状態に保持するストッパ部材とにより構成したことを特徴とするドアストッパ装置。
【請求項２】
前記回動部材は、前記ドア枠体の開口側に回動したときに前記取付部材に面接触する構成としてなる請求項１に記載のドアストッパ装置。
【請求項３】
前記ストッパ部材は、前記ドアと当接するときの衝撃を緩和するために軟質な材料を用いて形成してなる請求項１または２に記載のドアストッパ装置。
【請求項４】
前記ストッパ部材は、前記回動部材を前記ドア枠体の開口側に回動したときに該回動部材と共に前記ドア枠体とドアとの間に配置され、前記ドアを自動的に閉扉する自動閉扉装置の付勢力に抗して前記ドアの閉扉を規制する構成としてなる請求項１，２または３に記載のドアストッパ装置。
【請求項５】
前記取付部材は、前記ドアを内開き式としたときに前記ドア枠体の室内側に固定して設ける構成としてなる請求項１，２，３または４に記載のドアストッパ装置。
【発明の詳細な説明】
【技術分野】
【０００１】
本発明は、例えばドアを自動的に閉扉する自動閉扉装置の付勢力に抗してドアを開扉状態に保持するのに用いて好適なドアストッパ装置に関する。
【背景技術】
【０００２】
一般に、建物等に設けられるドアは、左，右方向の一端部がドア枠体にヒンジを介して取付けられ、他側に設けられたドア錠のノブを回転させることにより開閉することができる。また、ホテルの客室等に設けられたドアには、ドアが開けっ放しにならないように、またドアが急激に閉扉しないように、ドアをゆっくりと遅い速度で閉扉位置まで駆動する自動閉扉装置が取付けられている。
【０００３】
このため、室内の清掃作業等を行なうために室内と廊下との間で行き来する場合には、その都度、ノブを回してドアを開けなくてはならない。特に、ホテルのドアに設けられたドア錠は、ドアが閉じたときに自動的に施錠するオートロック機能を有している。従って、ドアが閉じたときには、オートロックを解除した上でノブを回してドアを開く必要があり、非常に手間がかかってしまう。
【０００４】
そこで、ドアを開扉した状態に保持するための手段として、ドアを開いたときに該ドアの下端縁と床との間にくさびとして機能するストッパを押し入れ、ドアを開いた位置で止めるものがある（例えば、特許文献１参照）。
【０００５】
また、ドアの下側に上，下方向に回動可能な脚部を取付け、ドアを開いた状態で、脚部を下側に下ろして床に押付けることによりドアを開扉状態で止める構成としたものがある（例えば、特許文献２参照）。
【０００６】
一方、ドアとドア枠体との間には、ドアを少しだけ開いて訪問者を確認することができるドアガードが取付けられている。このドアガードは、ドアを閉じた状態でドア枠体に取付けられたアームをドア側に倒し、該アームをドアに取付けられたフックに係合させる構成となっている（例えば、特許文献３参照）。
【０００７】
そして、ドアガードのアームは、ドアを開いた状態に保持するための手段として利用することも可能である。即ち、ドアガードのアームをドアを開いた状態で倒すことにより、ドア枠体とドアとの間にアームを挟んでドアが閉扉しないようにしている。
【０００８】
【特許文献１】特開２００２−１２１９５４号公報
【特許文献２】特開２００３−２７８４２９号公報
【特許文献３】特開２００２−１２１９４９号公報
【発明の開示】
【発明が解決しようとする課題】
【０００９】
ところで、上述した特許文献１によるものでは、ストッパをドアと床との間に押し入れることにより、ドアを止めることができる。しかし、このストッパは、紛失する虞がある上に、毎回取出したり回収したりする必要があり、手間を要するという問題がある。
【００１０】
また、特許文献２によるものでは、ドアストッパとなる脚部をドアに取付ける構成であるため、これによってドア全体の重量が増加し、余分な負荷が作用する上に、ドアストッパとなる脚部は、ドア側の取付け部から床に届くまでの長さを有しているために、長さ寸法が大きくなって見栄えが悪い上に、価格面で高価になるという問題がある。
【００１１】
さらに、特許文献３のドアガードのアームを利用し、該アームをドア枠体とドアとの間に挟む場合には、金属製のアームに金属製のドアが衝突するため、衝突による騒音が発生するばかりか、アームが変形してドアガードとして機能しなくなったり、ドアやドア枠体の塗装の剥離、損傷等を招くという問題がある。また、ドアを自動的に閉扉する自動閉扉装置に対しても衝撃が伝わり、該自動閉扉装置の故障の原因になるという問題がある。
【００１２】
本発明は上述した従来技術の問題に鑑みなされたもので、本発明の目的は、安価で容易に取扱うことができ、かつドア等を傷付けることなくドアを開扉状態に保持できるようにしたドアストッパ装置を提供することにある。
【課題を解決するための手段】
【００１３】
本発明によるドアストッパ装置は、建物のドア枠体の開口内に開閉可能に設けられたドアを開扉状態に保持するために用いるものである。
【００１４】
そして、上述した課題を解決するために、請求項１の発明が採用する構成の特徴は、ドアの左，右方向一側に位置してドア枠体に固定状態で取付けられる取付部材と、該取付部材に回動可能に取付けられ、ドア枠体の開口と反対側に回動したときにドアの閉扉を許し、ドア枠体の開口側に回動したときにドア枠体とドアとの間に突出する回動部材と、該回動部材に設けられ、該回動部材をドア枠体の開口側に回動したときにドアを開扉状態に保持するストッパ部材とにより構成したことにある。
【００１５】
請求項２の発明によると、回動部材は、ドア枠体の開口側に回動したときに取付部材に面接触する構成としたことにある。
【００１６】
請求項３の発明によると、ストッパ部材は、ドアと当接するときの衝撃を緩和するために軟質な材料を用いて形成したことにある。
【００１７】
請求項４の発明によると、ストッパ部材は、回動部材をドア枠体の開口側に回動したときに該回動部材と共にドア枠体とドアとの間に配置され、ドアを自動的に閉扉する自動閉扉装置の付勢力に抗してドアの閉扉を規制する構成としたことにある。
【００１８】
請求項５の発明によると、取付部材は、ドアを内開き式としたときにドア枠体の室内側に固定して設ける構成としたことにある。
【発明の効果】
【００１９】
請求項１の発明によれば、回動部材をドア枠体の開口と反対側に回動したときには、ドア枠体とドアとの間からストッパ部材を外すことができ、ドアが閉扉するのを許すことができる。一方、回動部材をドア枠体の開口側に回動したときには、該回動部材がドア枠体とドアとの間に突出し、該回動部材に設けられたストッパ部材が閉扉しようとするドアに当接するから、該ストッパ部材はドアを開扉状態に保持することができる。
【００２０】
従って、取付部材等はドア枠体に取付けられているから、これらを紛失する虞がなく、また回動部材を回動操作するだけで、ドアを閉扉させたり開扉状態に保持したりする切換をワンタッチで行なうことができ、取扱い性を向上することができる。
【００２１】
また、取付部材、回動部材、ストッパ部材からなる簡単な構造としているから、個々の部品を小さく簡単に形成することができ、取付けたときの見栄えを良好にし、また安価に製造することができる。
【００２２】
請求項２の発明によれば、回動部材は、ドア枠体の開口側に回動したときに取付部材に面接触することができるから、ストッパ部材にドアが当接したときの荷重は、回動部材を介して取付部材で効率よく受承することができる。これにより、回動部材や該回動部材と取付部材との結合部に作用する荷重を軽減することができ、耐久性を向上することができる。
【００２３】
請求項３の発明によれば、軟質な材料からなるストッパ部材は、ドアと当接するときの衝撃を緩和することができるから、ドアが当接したときの騒音、ドアやドア枠体の塗装の剥離、損傷等を防止でき、信頼性を向上することができる。また、例えばドアを自動的に閉扉する自動閉扉装置が設けられている場合には、該自動閉扉装置に対する負荷を軽減して寿命を延ばすこともできる。
【００２４】
請求項４の発明によれば、ドア枠体とドアとの間にドアを自動的に閉扉する自動閉扉装置を設けた場合でも、ストッパ部材は自動閉扉装置の付勢力によって閉じようとするドアに当接し、該ドアの閉扉を規制することができる。
【００２５】
請求項５の発明によれば、取付部材は内開き式のドアに対応してドア枠体の室内側に設けることができる。
【発明を実施するための最良の形態】
【００２６】
以下、本発明の実施の形態に係るドアストッパ装置を、ホテルの客室に設けた場合を例に挙げ、添付図面に従って詳細に説明する。
【００２７】
まず、図１ないし図８は本発明の第１の実施の形態を示している。図１において、１はホテルを構成する建物に設けられ、室内と室外とを隔てる出入口の隔壁で、該隔壁１は例えば縦長な長方形状をした壁として形成されている。また、隔壁１の下側には床２が配置され、上側には天井３が配置されている。また、隔壁１の左側には左壁４が配置され、右側には右壁５が配置されている。
【００２８】
６は隔壁１の右側寄りに片寄せて設けられたドア枠体で、該ドア枠体６は、後述するドア７を取付けるための開口を形成している。そして、ドア枠体６は、ドア７に対応して上，下方向に長尺な長方形状に形成され、その内周端を縁取る金属製の化粧枠６Ａが開口を構成している。また、ドア枠体６には、右壁５との隙間部分に例えば３個のねじ穴（図示せず）が形成され、該各ねじ穴は後述のドアストッパ装置１１を取付けるねじ部材１７を螺着するものである。
【００２９】
７はドア枠体６に設けられたドアで、該ドア７は、室内側に引くことにより開くことができる内開き式のドアとして形成されている。また、ドア７は、例えば金属材料からなる骨組とパネル材とを組合せることにより、上，下方向に長尺な長方形状に形成されている。そして、ドア７は、左辺部がドア枠体６の化粧枠６Ａにヒンジ７Ａを介して回動（開閉）可能に取付けられている。
【００３０】
一方、ドア７の右側には、該ドア７を閉じたときにドア枠体６に係合するドア錠８が設けられ、該ドア錠８は、ドア７の室内側と室外側とに配置された一対のノブ８Ａを回転操作することにより、ドア枠体６との係合を解除してドア７が開くのを許す。また、ドア錠８は、ドア７を閉じたときにドア枠体６との係合を自動的にロックするオートロック機能を有している。これにより、ドア錠８のオートロックを室外から解除する場合には、専用のキー（図示せず）を用いて解除する必要がある。
【００３１】
また、９はドア７の上側に位置して該ドア７とドア枠体６との間に設けられた自動閉扉装置を示している。この自動閉扉装置９は、ドア７が開けっ放しにならないように、またドア７が急激に閉扉して騒音が生じないように、ドア７をゆっくりと遅い速度で閉扉方向に駆動するものである。
【００３２】
次に、１１はドア７の右側に位置してドア枠体６の室内側に設けられたドアストッパ装置で、該ドアストッパ装置１１は、図８に示すように、ドア７が自動閉扉装置９によりドア枠体６内に向けて駆動されるときに、ドア７が閉扉してドア錠８が施錠しないように、該ドア７を開扉状態に保持するものである。そして、ドアストッパ装置１１は、図３等に示す如く、後述の取付部材１２、回動部材１３、ストッパ部材１４等によって大略構成されている。
【００３３】
１２はドア枠体６に取付けられた取付部材で、該取付部材１２は、ドアストッパ装置１１をドア枠体６に固定するベースとなるもので、例えば金属板材等の剛性材料を用いて形成されている。また、取付部材１２は、図４、図５に示す如く、縦長な長方形状をした固定板部１２Ａと、該固定板部１２Ａのドア７と反対側の端部、即ち、右端部から断面Ｌ字状となるようにほぼ直角に屈曲して手前側（室内側）に向けて延びた一対の屈曲板部１２ＢとによりＬ字型の金具として形成されている。
【００３４】
そして、取付部材１２には、一対の屈曲板部１２Ｂ間に位置する幅方向中間部にコ字形状をなす切欠部１２Ｃが形成され、該切欠部１２Ｃは、後述する回動部材１３の結合板部１３Ａが進退（出し入れ）可能に収容される開口部を構成するものである。
【００３５】
ここで、固定板部１２Ａは、裏面側がドア枠体６に対する固定面１２Ａ1となり、表面側が回動部材１３のストッパ取付板部１３Ｂと面接触する接触面１２Ａ2となっている。これにより、固定板部１２Ａは、図６、図７に示す如く、後述する回動部材１３のストッパ取付板部１３Ｂを接触面１２Ａ2に面接触させることにより、ドア７から回動部材１３に作用する荷重（衝撃）を面で効率よく受承することができる。また、固定板部１２Ａには、後述のねじ部材１７が挿通されるねじ挿通穴１２Ｄが例えば３個形成されている。
【００３６】
一方、各屈曲板部１２Ｂの先端部には、上，下方向に貫通して延びる小径のピン挿嵌穴１２Ｅが形成され、該各ピン挿嵌穴１２Ｅ内には、後述のピン１６が挿嵌されることにより、後述の結合板部１３Ａが切欠部１２Ｃに対して出し入れ可能にヒンジ結合されるものである。即ち、一対の屈曲板部１２Ｂ，１２Ｂは、切欠部１２Ｃを幅方向（上，下方向）両側から挟むように配置されている。
【００３７】
１３は取付部材１２に左，右方向（水平方向）に回動可能に取付けられた回動部材で、該回動部材１３は、ドア枠体６の化粧枠６Ａと反対側となる右方向に回動した格納位置（図２、図３、図４に示す位置）でドア７が閉扉するのを許す。一方、回動部材１３は、ドア枠体６の化粧枠６Ａ側となる左方向に回動した使用位置（図６、図７、図８に示す位置）でドア枠体６とドア７との間に突出するものである。
【００３８】
また、回動部材１３は、各屈曲板部１２Ｂ間の切欠部１２Ｃ内に配置され、該屈曲板部１２Ｂの先端に後述のピン１６を支点としてヒンジ結合される結合板部１３Ａと、該結合板部１３Ａの先端から断面Ｌ字状に屈曲して延びたストッパ取付板部１３ＢとによりＬ字型の金具として形成されている。
【００３９】
また、結合板部１３Ａは、固定板部１２の各屈曲板部１２Ｂ、ピン１６と協働してヒンジ結合部を形成するもので、その基端部には上，下方向に貫通してピン挿通穴１３Ｃが形成されている。また、結合板部１３Ａは、取付部材１２の屈曲板部１２Ｂよりも僅かに短い長さ寸法をもって形成され、これにより、回動部材１３を使用位置に配置したときに、ストッパ取付板部１３Ｂを取付部材１２の固定板部１２Ａに形成された接触面１２Ａ2に面接触させることができる。
【００４０】
一方、ストッパ取付板部１３Ｂは、水平方向に延びるＵ字状の板体として形成されている。また、ストッパ取付板部１３Ｂの長さ寸法は、取付部材１２よりも左，右方向に大きく、使用位置に配置したときに先端側に取付けられる後述のストッパ部材１４がドア枠体６の化粧枠６Ａを越える程度に設定されている。また、ストッパ取付板部１３Ｂの先端側には、ストッパ部材１４を取付けるねじ部材１５が挿通するねじ挿通穴１３Ｄが形成されている。そして、ストッパ取付板部１３Ｂは、結合板部１３が使用位置に配置されることにより、取付部材１２の固定板部１２Ａに当接した状態で、先端側をドア枠体６とドア７との間に突出させることができる。
【００４１】
１４は回動部材１３に設けられたストッパ部材で、該ストッパ部材１４は、回動部材１３をドア枠体６の化粧枠６Ａ側に回動したときに、ドア７を開扉状態に保持するものである。また、ストッパ部材１４は、軟質な材料、例えばゴム材料、樹脂材料、発泡樹脂材料等を用いて円錐台状に形成され、これにより、ドア７と当接するときの衝撃を緩和することができる。さらに、ストッパ部材１４は、ストッパ取付板部１３Ｂの先端側に対し、使用位置でドア７側を向くようにねじ部材１５を用いて取付けられている。
【００４２】
そして、ストッパ部材１４は、回動部材１３を左方向に回動した使用位置でドア枠体６とドア７との間に配置することができる。これにより、ストッパ部材１４は、ドア７を自動的に閉扉する自動閉扉装置９の付勢力に抗してドア７に弾性的に当接し、該ドア７の閉扉を規制することができる。
【００４３】
１６は取付部材１２と回動部材１３との間に設けられたピンで、該ピン１６は、取付部材１２に対して回動部材１３を左，右方向に回動可能に取付けている。即ち、ピン１６は、取付部材１２の屈曲板部１２Ｂ、回動部材１３の結合板部１３Ａと共にヒンジ結合部を構成している。そして、ピン１６は、取付部材１２の各屈曲板部１２Ｂ間に形成された切欠部１２Ｃに回動部材１３の結合板部１３Ａ基端部を配置し、この状態で回動部材１３のピン挿通穴１３Ｃを通るように取付部材１２のピン挿嵌穴１２Ｅに圧入状態で挿嵌されている。
【００４４】
このように構成されたドアストッパ装置１１は、図１、図３に示す如く、ドア枠体６の右側で取扱いが容易な高さ位置、例えばドア錠８のノブ８Ａの上側近傍等に取付部材１２を配置する。そして、取付部材１２のねじ挿通穴１２Ｄに挿通したねじ部材１７を螺着することにより、ドア枠体６に固定して取付けることができる。
【００４５】
次に、ドアストッパ装置１１の取扱い方法について、図２、図３、図６、図８を参照して説明する。
【００４６】
まず、宿泊客が出入りするときのようにドア７を通常で使用する場合には、図２、図３に示すように、ドアストッパ装置１１の回動部材１３をピン１６を支点とし、ストッパ部材１４が右壁５に当接する程度まで右方向（右壁５側）に回動させ、回動部材１３を格納位置に配置する。このように回動部材１３を格納位置に配置した状態では、ドア７を開閉するときに回動部材１３が邪魔になることはなく、ドア７を開いて手を離したときには自動閉扉装置９によってドア７を閉じることができる。このときにはオートロック機能によってドア錠８を自動的にロックさせることができる。
【００４７】
一方、室内清掃等を行なうために作業者が室内に何回も出入りする場合には、ドア７が閉扉してオートロック機能によってドア錠８がロックされると、作業者は、入室の度に専用のキーを使ってドア錠８を解除しなくてはならず、非常に面倒である。
【００４８】
そこで、ドア７が閉じてオートロック機能によりドア錠８がロックされないようにするため、図６に示す如く、ドアストッパ装置１１の回動部材１３をピン１６を支点とし、左方向に回動させ、回動部材１３を使用位置に配置する。これにより、ドアストッパ装置１１は、図８に示す如く、自動閉扉装置９によって閉扉方向に移動するドア７を回動部材１３に設けられたストッパ部材１４に当接させ、ドア７の閉扉を規制することができる。
【００４９】
このときに、ドア７は軟質な材料からなるストッパ部材１４に当接するから、衝突時の騒音が発生することがなく、またドア７を傷付けることもない。さらに、回動部材１３は、使用位置で取付部材１２に当接し、ドア枠体６の化粧枠６Ａには当接していないため、該化粧枠６Ａを傷付ける虞もない。
【００５０】
そして、ドアストッパ装置１１によってドア７を開扉状態に保持することにより、作業者は専用のキーを使用することなく容易に入室することができるから、室内清掃、ベッドメイキング等の作業を効率よく行なうことができる。また、ドアストッパ装置１１によりドア７を少しだけ開いた状態では、室内を露出することなく、チェックイン間際まで室内の換気を行なうことができる。
【００５１】
かくして、第１の実施の形態によれば、ドアストッパ装置１１は、ドア枠体６に取付けた取付部材１２に対し、回動部材１３をドア枠体６の化粧枠６Ａと反対側となる右方向に回動したときには、ドア７が閉扉するのを許すことができる。一方、取付部材１２に対し回動部材１３をドア枠体６の化粧枠６Ａ側となる左方向に回動したときには、該回動部材１３をドア枠体６とドア７との間に突出させることにより、ストッパ部材１４をドア７に当接させて該ドア７を開扉状態に保持することができる。
【００５２】
従って、ドアストッパ装置１１は、ドア枠体６に取付けられているから、紛失する虞がなく、また回動部材１３を回動操作するだけで、ドア７を閉扉させたり開扉状態に保持したりする切換をワンタッチで行なうことができ、取扱い性を向上することができる。
【００５３】
また、ドア枠体６とドア７との間に突出可能な回動部材１３を取付部材１２を介してドア枠体６に取付けるだけの簡単な構造となっているから、個々の部品を小さく簡単に形成することができ、取付けたときの見栄えを良好にし、また安価に製造することができる。
【００５４】
また、ドア７から回動部材１３に作用する荷重は、該回動部材１３を介して取付部材１２を形成する固定板部１２Ａの接触面１２Ａ2で効率よく受承することができる。これにより、回動部材１３や該回動部材１３と取付部材１２との結合部を構成するピン１６等に作用する荷重を軽減することができ、耐久性を向上することができる。また、回動部材１３をドア枠体６の化粧枠６Ａに接触させることなく、ドア７を開扉状態に保持することができるから、化粧枠６Ａの損傷を防止でき、信頼性を向上することができる。
【００５５】
さらに、ストッパ部材１４は軟質な材料によって形成しているから、ドア７が当接したときの騒音、ドア７やドア枠体６の塗装の剥離、損傷等を防止でき、ドアストッパ装置１１に対する信頼性を向上することができる。また、自動閉扉装置９に対する負荷を軽減して該自動閉扉装置９の寿命を延ばすこともできる。
【００５６】
次に、図９は本発明の第２の実施の形態を示している。本実施の形態の特徴は、取付部材と回動部材をほぼ平坦な板体として形成したことにある。なお、本実施の形態では、前述した第１の実施の形態と同一の構成要素に同一の符号を付し、その説明を省略するものとする。
【００５７】
図９において、２１は第２の実施の形態によるドアストッパ装置で、該ドアストッパ装置２１は、後述の取付部材２２、回動部材２３、ストッパ部材２４等によって大略構成されている。
【００５８】
２２はドア枠体６に取付けられた取付部材で、該取付部材２２は、ドアストッパ装置２１をドア枠体６に固定するベースとなるもので、例えば金属材料を用いて形成されている。また、取付部材２２は、縦長な長方形状をした固定板部２２Ａと、該固定板部２２Ａのドア７と反対側の端部、即ち、右端部に突設された一対の連結突起２２Ｂとからほぼ平坦な板体として形成されている。
【００５９】
また、固定板部２２Ａは、裏面側がドア枠体６に対する固定面２２Ａ1となり、表面側は回動部材２３と面接触する接触面２２Ａ2となっている。また、固定板部２２Ａには、取付用のねじ挿通穴２２Ｃが複数個形成されている。さらに、各連結突起２２Ｂは、後述する回動部材２３の基端部２３Ａ、ピン２５と共にヒンジ結合部を構成するもので、該各連結突起２２Ｂには、上，下方向に貫通してピン挿嵌穴２２Ｄが形成されている。
【００６０】
２３は取付部材２２に水平方向に回動可能に取付けられた回動部材で、該回動部材２３は、使用位置に配置されることによりドア枠体６とドア７との間に突出するもので、水平方向に延びる平坦なＵ字状の板体として形成されている。また、回動部材２３の基端部２３Ａは、取付部材２２の各連結突起２２Ｂに後述のピン２５を介して回動可能に取付けられ、先端部２３Ｂは、使用位置に配置したときに後述のストッパ部材２４がドア枠体６の化粧枠６Ａを越える程度まで延びている。これにより、回動部材２３は、使用位置に配置したときに取付部材２２を構成する固定板部２２Ａの接触面２２Ａ2に面接触させることができる。
【００６１】
また、基端部２３Ａは、取付部材２２の各連結突起２２Ｂ、後述のピン２５と協働してヒンジ結合部を構成するもので、該基端部２３Ａには上，下方向に貫通してピン挿通穴が形成されている。一方、先端部２３Ｂには、ストッパ部材２４を取付けるねじ部材が挿通するねじ挿通穴（いずれも図示せず）が形成されている。
【００６２】
２４は回動部材２３に設けられたストッパ部材で、該ストッパ部材２４は、回動部材２３をドア枠体６の化粧枠６Ａ側に回動したときに、ドア７を開扉状態に保持するものである。また、ストッパ部材２４は、第１の実施の形態によるストッパ部材１４と同様に軟質な材料、例えばゴム材料、樹脂材料、発泡樹脂材料等を用いて円錐台状に形成されている。そして、ストッパ部材２４は、回動部材２３の先端部２３Ｂに使用位置でドア７側を向くようにねじ部材を用いて取付けられている。
【００６３】
２５は取付部材２２と回動部材２３との間に設けられたピンで、該ピン２５は、取付部材２２に対して回動部材２３を左，右方向に回動可能に取付けている。即ち、ピン２５は、取付部材２２の各連結突起２２Ｂ、回動部材２３の基端部２３Ａと共にヒンジ結合部を構成している。そして、ピン２５は、取付部材２２の各連結突起２２Ｂ間に回動部材２３の基端部２３Ａを配置し、この状態で回動部材２３のピン挿通穴を通るように取付部材２２のピン挿嵌穴に圧入状態で挿嵌されている。
【００６４】
かくして、このように構成された第２の実施の形態によるドアストッパ装置２１においても、前記第１の実施の形態とほぼ同様の作用効果を得ることができる。特に、第２の実施の形態によれば、取付部材２２と回動部材２３をほぼ平坦な板体として形成しているから、全体をコンパクトに形成することができ、また安価に製造することができる。
【００６５】
次に、図１０は本発明の第３の実施の形態を示している。本実施の形態の特徴は、取付部材を柱状体として形成し、この柱状体からなる取付部材に回動部材を回動可能に取付ける構成としたことにある。なお、本実施の形態では、前述した第１の実施の形態と同一の構成要素に同一の符号を付し、その説明を省略するものとする。
【００６６】
図１０において、３１は第３の実施の形態によるドアストッパ装置で、該ドアストッパ装置３１は、後述の取付部材３２、回動部材３３、ストッパ部材３４等によって大略構成されている。
【００６７】
３２はドア枠体６に取付けられた取付部材で、該取付部材３２は、ドアストッパ装置３１をドア枠体６に固定するベースとなるもので、例えば金属材料を用いて形成されている。また、取付部材３２は、半円柱状に形成された固定柱体３２Ａと、該固定柱体３２Ａの左側に上，下方向に延びて開口した取付開口部３２Ｂと、前記固定柱体３２Ａの上，下位置に設けられた取付ブラケット３２Ｃとにより大略構成されている。
【００６８】
また、固定柱体３２Ａは、平坦な裏面側がドア枠体６対する固定面３２Ａ1となり、取付開口部３２Ｂ内で固定面３２Ａ1と反対側の表面側が回動部材３３と面接触する接触面３２Ａ2となっている。
【００６９】
３３は取付部材３２に水平方向に回動可能に取付けられた回動部材で、該回動部材３３は、使用位置に配置されることによりドア枠体６とドア７との間に突出するもので、水平方向に延びる平坦なＵ字状の板体として形成されている。また、回動部材３３は、その基端部３３Ａが取付部材３２の取付開口部３２Ｂ内の奥部で後述のピン３５を介して回動可能に取付けられ、先端部３３Ｂは、使用位置に配置したときにドア枠体６の化粧枠６Ａを越える程度まで延びている。これにより、回動部材３３は、使用位置に配置したときに取付部材３２の接触面３２Ａ2に面接触させることができる。また、先端部３３Ｂには、ストッパ部材３４を取付けるねじ部材（図示せず）が挿通するねじ挿通穴３３Ｃが形成されている。
【００７０】
３４は回動部材３３に設けられたストッパ部材で、該ストッパ部材３４は、回動部材３３をドア枠体６の化粧枠６Ａ側に回動したときに、ドア７を開扉状態に保持するものである。また、ストッパ部材３４は、第１の実施の形態によるストッパ部材１４と同様に軟質な材料、例えばゴム材料、樹脂材料、発泡樹脂材料等を用いて円錐台状に形成されている。そして、ストッパ部材３４は、回動部材３３の先端部３３Ｂに使用位置でドア７側を向くようにねじ部材を用いて取付けられている。
【００７１】
３５は取付部材３２と回動部材３３との間に設けられたピンで、該ピン３５は、取付部材３２に対して回動部材３３を左，右方向に回動可能に取付けている。即ち、ピン３５は、取付部材３２の固定柱体３２Ａ、回動部材３３の基端部３３Ａと共にヒンジ結合部を構成している。
【００７２】
かくして、このように構成された第３の実施の形態によるドアストッパ装置３１においても、前記各実施の形態とほぼ同様の作用効果を得ることができる。特に、第３の実施の形態によれば、取付部材３２を柱状体として形成し、この柱状体からなる取付部材３２に回動部材３３を回動可能に取付ける構成としているから、外観上の見栄えを良好にでき、ホテルの客室等に違和感なく取付けることができる。
【００７３】
なお、第１の実施の形態では、取付部材１２、回動部材１３を金属材料を用いて形成した場合を例に挙げて説明した。しかし、本発明はこれに限るものではなく、例えば取付部材１２、回動部材１３を樹脂材料、木材、石材等によって形成する構成としてもよい。この構成は、他の実施の形態にも同様に適用することができるものである。
【００７４】
また、第１の実施の形態では、ストッパ部材１４を、ゴム材料、樹脂材料、発泡樹脂材料等の軟質な材料を用いて円錐台状に形成した場合を例に挙げて説明した。しかし、本発明はこれに限らず、例えばストッパ部材１４を板状、コイル状等のスプリングを用いて形成する構成としてもよい。また、形状についても、円錐台状に限らず、円柱状、角柱状、砲弾状等の他の形状としてもよい。これらの構成は、他の実施の形態にも同様に適用することができるものである。
【００７５】
さらに、各実施の形態では、ドアストッパ装置１１，２１，３１は、建物のドアとしてホテルの客室のドア７に使用した場合を例に挙げて説明したが、本発明がこれに限らず、オフィス、一般家庭等のドアに対しても広く適用することができる。
【図面の簡単な説明】
【００７６】
【図１】本発明の第１の実施の形態に係るドアストッパ装置をホテルの客室のドア枠体に設けた状態を示す正面図である。
【図２】ドアストッパ装置の回動部材を格納位置に配置してドアを閉扉した状態を図１中の矢示II−II方向からみた拡大横断面図である。
【図３】ドア枠体に取付けたドアストッパ装置の回動部材を格納位置に配置した状態を示す要部拡大斜視図である。
【図４】回動部材を格納位置に配置した状態のドアストッパ装置を単体で拡大して示す外観斜視図である。
【図５】ドアストッパ装置を分解して示す分解斜視図である。
【図６】ドア枠体に取付けたドアストッパ装置の回動部材を使用位置に配置した状態を示す要部拡大斜視図である。
【図７】回動部材を使用位置に配置した状態のドアストッパ装置を単体で拡大して示す外観斜視図である。
【図８】ドアストッパ装置の回動部材を使用位置に配置してストッパ部材でドアを開扉状態に保持した状態を図２と同様位置からみた拡大横断面図である。
【図９】本発明の第２の実施の形態によるドアストッパ装置を示す外観斜視図である。
【図１０】本発明の第３の実施の形態によるドアストッパ装置を示す外観斜視図である。
【符号の説明】
【００７７】
６  ドア枠体
６Ａ  化粧枠（開口）
７  ドア
９  自動閉扉装置
１１，２１，３１  ドアストッパ装置
１２，２２，３２  取付部材
１２Ａ，２２Ａ  固定板部
１２Ａ2，２２Ａ2，３２Ａ2  接触面
１２Ｂ  屈曲板部
１３，２３，３３  回動部材
１４，２４，３４  ストッパ部材
１６，２５，３５  ピン
３２Ａ  固定柱体
【図１】
2005163494.tif 000003
【図２】
2005163494.tif 000004
【図３】
2005163494.tif 000005
【図４】
2005163494.tif 000006
【図５】
2005163494.tif 000007
【図６】
2005163494.tif 000008
【図７】
2005163494.tif 000009
【図８】
2005163494.tif 000010
【図９】
2005163494.tif 000011
【図１０】
2005163494.tif 000012